(57)【要約】  本発明は、一端が沈殿地の底に隣接して配置された状態で沈殿池に沈殿されたスラッジに圧力水を噴射し、スラッジをスラッジ収容部に移動させる圧力水噴射部、下部が開放されたボックス形状を有する状態でスラッジ収容部の上部を囲むように底の上部に配置され、側面にはスラッジ流入溝が貫通して形成されて圧力水噴射部により移動されるスラッジがスラッジ流入溝を通じて流入された後、スラッジ収容部に移動されるようにガイドするスラッジ吸入カバー、沈殿池の底に結合して設けられて、圧力水噴射部により移動されるスラッジがスラッジ流入溝に流入されるようにガイドする捕集ガイド板を含む沈殿池用流体移送スラッジ排出装置を提供する。このような沈殿池用流体移送スラッジ排出装置は、沈殿池のスラッジ収容部をスラッジ吸入カバーが囲むように配置した状態で圧力水噴射部から噴射される圧力水によって移動されるスラッジが捕集ガイド板によって捕集された状態でスラッジ流入溝を通じてスラー移動カバーの内側に流入された後、スラッジ収容部に移動させるところ、スラッジの滞積なく、外部への排出を容易にすることができるようになる。【選択図】図１
2015531313.tif 000002
【特許請求の範囲】
【請求項１】
沈殿池の底の中心部に形成されたスラッジ収容部に、前記底に沈殿されたスラッジを移動させる沈殿池用流体移送スラッジ排出装置において、
一端が前記沈殿池の底に隣接して配置された状態で、前記沈殿池に沈殿された前記スラッジに圧力水を噴射しながら、前記スラッジを前記スラッジ収容部に移動させる圧力水噴射部と、
下部が開放されたボックス形状を有する状態で、前記スラッジ収容部の上部を囲むように前記底の上部に配置され、側面にはスラッジ流入溝が貫通して形成されて前記圧力水噴射部により移動される前記スラッジが前記スラッジ流入溝を通じて流入された後、前記スラッジ収容部に移動されるようにガイドするスラッジ吸入カバーと、
前記沈殿池の底に結合して設けられ、前記圧力水噴射部により移動される前記スラッジが前記スラッジ流入溝に流入されるようにガイドする捕集ガイド板と、
を含む沈殿池用流体移送スラッジ排出装置。
【請求項２】
前記圧力水噴射部は、
ポンプと、
前記ポンプと連結され、前記ポンプによって外部から加圧される圧力水の供給を受ける圧力水供給ラインと、
前記圧力水供給ラインに一端が連結された状態で、他端は前記沈殿池の底に配置される圧力水分配ラインと、
前記圧力水分配ラインに互いに離隔するように複数形成され、前記圧力水を前記沈殿池の底に噴射しながら、前記スラッジが前記スラッジ収容部の方向に移動されるようにする噴射ノズルと、を含む、請求項１に記載の沈殿池用流体移送スラッジ排出装置。
【請求項３】
前記スラッジ流入溝は、前記スラッジ吸入カバーの側面に互いに離隔するように複数形成された、請求項１に記載の沈殿池用流体移送スラッジ排出装置。
【請求項４】
前記捕集ガイド板は、前記沈殿池の底を複数に分割して備えるように互いに隣接する前記スラッジ流入溝の間に配置されるように複数が結合して設けられ、
前記スラッジ吸入カバーと対向する前記捕集ガイド板の端部は、前記スラッジ吸入カバーの外側面に隣接して配置される、請求項１に記載の沈殿池用流体移送スラッジ排出装置。
【請求項５】
前記スラッジ吸入カバーに連設され、前記スラッジ吸入カバーを水平方向に軸回転させるカバー回転部をさらに備える、請求項１に記載の沈殿池用流体移送スラッジ排出装置。
【請求項６】
前記カバー回転部は、
長さ方向の一端が前記スラッジ吸入カバーの上部に連結して結合される連結バーと、
前記連結バーの長さ方向の他端に回転軸が連結して結合され、前記連結バーが軸回転するように回転駆動力を発生させる駆動モーターと、を含む、請求項５に記載の沈殿池用流体移送スラッジ排出装置。
【請求項７】
前記スラッジ吸入カバーには、前記スラッジ流入溝を開閉させる開閉水門を結合して備える、請求項１に記載の沈殿池用流体移送スラッジ排出装置。
【請求項８】
前記開閉水門は、
前記スラッジ吸入カバーの一側に前記スラッジ流入溝の方向にスライド自在に設けられる開閉プレートと、
前記スラッジ吸入カバーに設けられた状態で、ロード端部が前記開閉プレートに連結され、前記開閉プレートを往復スライド移動させながら、前記スラッジ流入溝を開閉させる開閉シリンダーと、を含む、請求項７に記載の沈殿池用流体移送スラッジ排出装置。
【発明の詳細な説明】
【技術分野】
【０００１】
本発明は、沈殿池用流体移送スラッジ排出装置に関し、より詳しくは、浄水場または下水処理場などの円形の沈殿地に設けられ、スラッジを外部に排出できるように移動させる沈殿池用流体移送スラッジ排出装置に関する。
【背景技術】
【０００２】
一般的に、下水及び産業現場から流出される廃水などの原水（以下、原水と称する。）の処理過程は、前記原水の放流時に、水質の保全のために、その排水路の最終の末端部から原水を処理した後、外部に排出させるようになる。一般の家庭または産業現場から流入される原水を、前記円形のスラッジ収集機の内に一定時間貯蔵して薬品処理すれば、前記原水に混入された不純物は底に沈むようになり、前記底に沈んだ沈殿物であるスラッジを、底面と接触するスクラッパーで収集移動させ、スラッジ排出口を通じて外部に排出され、前記スラッジ以外の上等水は薬品で処理されて河川に放流される。前記円形のスラッジ収集機の底面に沈殿されるスラッジは、時間が経つにつれ、水質を急激に汚染させる嫌気性化変質を防ぐために、スラッジ排出口を通じて迅速に外部に排出して除去することで、原水の浄水が円滑に行われるようになる。
【０００３】
このような沈殿池の円形のスラッジ収集機は、上部が開放されている円形状の本体と、前記本体内に原水が流入されるように構成された原水供給部と、前記原水供給部の原水供給管からその外側に回転できるように設けられているセンターケージと、前記センターケージに結合されて回転しながらスラッジを掻いて移動させるスクラッパーで構成されているスラッジ除去用回転部と、前記センターケージの上側に固定して設けられ、原水が側壁の内周面にぶつかりながら下側に流れるように案内する円筒状のフィードウォール（ｆｅｅｄ  ｗａｌｌ）と、前記センターケージが回転できるように前記センターケージの上端部に固定して設けられているターンテーブルと、歩行通路用ブリッジの内側の一端部に固定して設けられており、前記ターンテーブルが回転できるように軸に設けられている減速装置が備えられた駆動モーターで構成されている駆動部と、前記本体の後述する底面の中央部に形成されたスラッジ収容部に連設されているスラッジ排出管で構成されている。
【０００４】
しかし、前記従来の沈殿池の円形のスラッジ収集機の片側または両側で構成されたスクラッパーとコンクリート構造体である底部は、均等な間隙を維持し難い土木施工上の問題で、撓みのあるゴムなどの弾性を有するスクラッパーを使用して、機械的な回転力を駆動するようになるので、底面との不均一な摩擦によるスクラッパーの損傷と機械や機構構造物の施設管理費用の過度な増大などの問題が発生するようになる。さらに、スラッジ排出部と底面には部分的にスラッジを除去できない問題点が発生し、除去されずに沈積されたスラッジは嫌気性化されて腐敗され、スラッジ排出管を通じてスラッジが外部に円滑に排出されなくなる問題点がある。また、沈殿池の構造物の中心部から構造物の外部の地下に埋設される排出管及び流入管を沈殿地の下部に埋設しなければならないので、メンテナンス等の維持管理に困難がある。
【発明の概要】
【発明が解決しようとする課題】
【０００５】
本発明は、沈殿されたスラッジを沈殿地のスラッジ収容部に滞積される区域なしに排出されるようにする沈殿池用流体移送スラッジ排出装置を提供することに目的がある。
【課題を解決するための手段】
【０００６】
本発明は、沈殿池の底の中心部に形成されたスラッジ収容部に、前記底に沈殿されたスラッジを移動させる沈殿池用流体移送スラッジ排出装置において、一端が前記沈殿池の底に隣接して配置された状態で、前記沈殿池に沈殿された前記スラッジに圧力水を噴射しながら、前記スラッジを前記スラッジ収容部に移動させる圧力水噴射部と、下部が開放されたボックス形状を有する状態で、前記スラッジ収容部の上部を囲むように前記底の上部に配置され、側面にはスラッジ流入溝が貫通して形成されて前記圧力水噴射部により移動される前記スラッジが前記スラッジ流入溝を通じて流入された後、前記スラッジ収容部に移動されるようにガイドするスラッジ吸入カバーと、前記沈殿池の底に結合して設けられ、前記圧力水噴射部により移動される前記スラッジが前記スラッジ流入溝に流入されるようにガイドする捕集ガイド板と、を含む沈殿池用流体移送スラッジ排出装置を提供する。
【０００７】
尚、前記圧力水噴射部は、ポンプと、前記ポンプと連結され、前記ポンプによって外部から加圧される圧力水の供給を受ける圧力水供給ラインと、前記圧力水供給ラインに一端が連結された状態で、他端は前記沈殿池の底に配置される圧力水分配ラインと、前記圧力水分配ラインに互いに離隔するように複数形成され、前記圧力水を前記沈殿池の底に噴射しながら、前記スラッジが前記スラッジ収容部の方向に移動されるようにする噴射ノズルと、を含むことができる。
【０００８】
尚、前記スラッジ流入溝は、前記スラッジ吸入カバーの側面に互いに離隔するように複数形成されることができる。
【０００９】
また、前記捕集ガイド板は、前記沈殿池の底を複数に分割して備えるように互いに隣接する前記スラッジ流入溝の間に配置されるように複数が結合して設けられ、前記スラッジ吸入カバーと対向する前記捕集ガイド板の端部は、前記スラッジ吸入カバーの外側面に隣接して配置されることができる。
【００１０】
尚、前記スラッジ吸入カバーに連設され、前記スラッジ吸入カバーを水平方向に軸回転させるカバー回転部をさらに備えることができる。
【００１１】
さらに、前記カバー回転部は、長さ方向の一端が前記スラッジ吸入カバーの上部に連結して結合される連結バーと、前記連結バーの長さ方向の他端に回転軸が連結して結合され、前記連結バーが軸回転するように回転駆動力を発生させる駆動モーターと、を含むことができる。
【００１２】
また、前記スラッジ吸入カバーには、前記スラッジ流入溝を開閉させる開閉水門を結合して備えることができる。
【００１３】
尚、前記開閉水門は、前記スラッジ吸入カバーの一側に前記スラッジ流入溝の方向にスライド自在に設けられる開閉プレートと、前記スラッジ吸入カバーに設けられた状態で、ロード端部が前記開閉プレートに連結され、前記開閉プレートを往復スライド移動させながら、前記スラッジ流入溝を開閉させる開閉シリンダーと、を含むことができる。
【発明の効果】
【００１４】
本発明による沈殿池用流体移送スラッジ排出装置は、沈殿池のスラッジ収容部をスラッジ吸入カバーが囲むように配置した状態で、圧力水噴射部から噴射される圧力水によって移動されるスラッジが捕集ガイド板によって捕集された状態でスラッジ流入溝を通じてスライド移動カバーの内側に流入された後、スラッジ収容部に移動させるところ、前記スラッジの滞積のなく、外部への排出を容易にすることができる。
【図面の簡単な説明】
【００１５】
【図１】本発明の一実施例に係る沈殿池用流体移送スラッジ排出装置の構成断面図である。
【図２】図１に示すスラッジ吸入カバーの斜視図である。
【図３】図１に示すスラッジ吸入カバーの他の実施例に係る斜視図である。
【発明を実施するための形態】
【００１６】
以下、添付された図面を参照しながら、本発明の好適な実施例について詳細に説明する。
【００１７】
図１は、本発明の一実施例に係る沈殿池用流体移送スラッジ排出装置の構成断面図である。図１を参照すれば、前記沈殿池用流体移送スラッジ排出装置は、圧力水噴射部１００、スラッジ吸入カバー２００、捕集ガイド板３００を備えた状態で、底の中心部に形成されたスラッジ収容部１１を通じて前記底に沈殿されたスラッジを排出させる沈殿池１０に設けられる。この際、前記沈殿池１０は円形状を有することができるが、これに限定されないことはもちろんである。さらに、前記沈殿池１０には前記スラッジ収容部１１を通じた前記スラッジの吸入排出が容易になるように、バニーバルブやポンプ（未図示）などを前記スラッジ収容部１１に連設することもできる。
【００１８】
前記圧力水噴射部１００は、前記沈殿池１０の底に沈殿された前記スラッジを前記スラッジ収容部１１の方向に移動させる。つまり、前記圧力水噴射部１００は、前記沈殿池１０に設けられた状態で、前記沈殿池１０の底から圧力水を噴射排出しながら前記沈殿池１０の底のスラッジを前記スラッジ収容部１１に流入されるように押して移動させる。ここで、前記圧力水噴射部１００は、ポンプ１１０、圧力水供給ライン１２０、圧力水分配ライン１３０、噴射ノズル１４０を含む。
【００１９】
前記ポンプ１１０は、前記沈殿池１０の底の噴射排出する圧力水を前記沈殿池１０の底に噴射供給できるように移動圧力を発生させる。このような前記ポンプ１１０は、前記沈殿池１０の一側に設けられた状態で、排出口に前記圧力水供給ライン１２０の長さ方向の一端が連結して結合される。この際、前記ポンプ１１０は、前記沈殿池１０の外部に設けたり、前記沈殿池１０の内部に浮遊状態で昇降自在に設けられることができる。ここで、前記ポンプ１１０によってポンピングされる圧力水になる対象流体は外部から別途供給されたり、前記沈殿池１０の上等水を選択的に使用することができる。
【００２０】
前記圧力水供給ライン１２０は、前記ポンプ１１０によって加圧された圧力水を前記圧力水分配ライン１３０に移送されるようにガイドする連結配管部材である。このような前記圧力水供給ライン１２０の長さ方向の一端は前記ポンプ１１０の排出口に連結して結合され、他端は前記圧力水分配ライン１３０の入り口の端部に連結して結合される。
【００２１】
前記圧力水分配ライン１３０は、前記圧力水供給ライン１２０から供給された前記圧力水を前記沈殿池１０の内部で効率的に噴射されるように複数のラインに分割させる管部材である。つまり、前記圧力水分配ライン１３０の一端は、前記圧力水供給ライン１２０の他端に連結して結合され、他端は前記沈殿池１０に分岐された複数のライン状に配置される。ここで、前記圧力水分配ライン１３０の他端は、前記沈殿池１０の底または側面に接するように設けたり、前記沈殿池１０の底面または側面の内部に埋設された状態で、前記噴射ノズル１４０のチップの端部が前記沈殿池１０の内側に突出するように設置することもできる。さらに、前記圧力水分配ライン１３０にはそれぞれの分岐されたラインに前記圧力水を選択的に供給できるように制御弁（未図示）が備えられることももちろん可能である。
【００２２】
前記噴射ノズル１４０は、前記圧力水分配ライン１３０に供給された前記圧力水を前記沈殿池１０の内側から前記スラッジ収容部１１の方向に噴射排出させる。このような前記噴射ノズル１４０は、前記圧力水分配ライン１３０に互いに離隔するように複数形成される。ここで、前記噴射ノズル１４０のチップ部分は、噴射排出される前記圧力水を前記スラッジ収容部１１の入り口の方向に向けるように形成される。よって、前記噴射ノズル１４０から前記圧力水が噴射排出される際、前記沈殿池１０の底に沈殿された前記スラッジを前記スラッジ収容部１１の方向に移動させることができる。
【００２３】
前記スラッジ吸入カバー２００は、前記圧力水噴射部１００から噴射される前記圧力水により、前記スラッジ収容部１１の方向に移動される前記スラッジが前記スラッジ収容部１１に正確に流入されるようにガイドする。つまり、前記スラッジ吸入カバー２００は、前記圧力水の噴射力によって前記スラッジ収容部１１に移動しながら、前記スラッジ収容部１１を中心にして反対の方向に通り過ぎることなく、前記スラッジ収容部１１に直ちに流入されるようにガイドする。
【００２４】
ここで、前記スラッジ吸入カバー２００は、前記スラッジ収容部１１の上部を囲むように前記沈殿池１０の底の上面に安着して配置される。さらに、図２を参照すれば、前記スラッジ吸入カバー２００は、前記沈殿池１０の底の上面に配置された状態で、前記スラッジ収容部１１と連通されるように、前記スラッジ収容部１１に対向される下部が開放されたボックス形状を有する。
【００２５】
また、前記スラッジ吸入カバー２００の側面には、前記スラッジ吸入カバー２００を前記沈殿池１０の底に安着して配置させた状態で、前記スラッジ吸入カバー２００の内側と外側を連通させるスラッジ流入溝２１０が貫通して形成される。このような前記スラッジ流入溝２１０は、前記圧力水噴射部１００の噴射ノズル１４０を通じて噴射される圧力水により、前記スラッジ収容部１１の方向に移動される前記スラッジを前記スラッジ吸入カバー２００の外側から内側に流入された後、前記スラッジ収容部１１に移動されるようにガイドする。ここで、前記スラッジ流入溝２１０は、前記スラッジ吸入カバー２００の側面に少なくとも一つを形成し、複数個を形成する場合には互いに離隔するように配置され、前記圧力水噴射部１００の全ての圧力水分配ライン１３０の噴射ノズル１４０から噴射される圧力水によって移動される前記スラッジを前記スラッジ吸入カバー２００の内側に流入させることができる。
【００２６】
さらに、前記スラッジ流入溝２１０は、前記スラッジ吸入カバー２００の下部に開放されるように形成、即ち、前記スラッジ吸入カバー２００の開放された下部と連通されるように形成され、前記スラッジ吸入カバー２００を前記沈殿池１０の底に安着させた状態で、前記スラッジが前記スラッジ流入溝２１０を通じて前記スラッジ吸入カバー２００の内側に引っかかるような妨害なしに流入されることができる。
【００２７】
また、前記スラッジ吸入カバー２００の側面に前記スラッジ流入溝２１０を一つ形成した場合には、前記スラッジ吸入カバー２００をその場で軸回転させて逐次的に圧力水を噴射する前記圧力水分配ライン１３０部分によって移動される前記スラッジを前記スラッジ吸入カバー２００の内側に流入できるようにカバー回転部２２０を備えることができる。このような前記カバー回転部２２０は連結バー２２１、駆動モーター２２２を含む。
【００２８】
前記連結バー２２１は、前記駆動モーター２２２から発生した回転力を前記スラッジ吸入カバー２００に伝える軸部材である。このような前記連結バー２２１の長さ方向の一端は前記スラッジ吸入カバー２００の上部の一側に連結して結合され、他端は前記駆動モーター２２２の回転軸に連結して結合される。
【００２９】
前記駆動モーター２２２は、前記スラッジ吸入カバー２００を前記沈殿池１０の底に安着して配置された状態で軸回転するように回転駆動力を発生させる。このような前記駆動モーター２２２の回転軸は、前記連結バー２２１の他端に連結して結合される。
【００３０】
このように、前記駆動モーター２２２の駆動によって発生された回転力が前記連結バー２２１に伝えられ、前記スラッジ吸入カバー２００を軸回転させながら、側面に形成された前記スラッジ流入溝２１０の位置を変更しながら、前記圧力水が噴射される、選択された何れかの前記圧力水分配ライン１３０から前記スラッジを流入させることができる。
【００３１】
また、前記スラッジ吸入カバー２００には、前記スラッジ流入溝２１０を開閉させる開閉水門２３０を備えることができる。図３を参照すれば、前記開閉水門２３０は、前記圧力水の噴射を通じて移動する前記スラッジを流入させる前記スラッジ流入溝２１０の以外に他のスラッジ流入溝２１０を閉鎖して、前記スラッジ吸入カバー２００の内部の圧力を低く維持させるので、前記スラッジ吸入カバー２００の内部に流入された前記スラッジが前記スラッジ流入溝２１０を通じて再び前記沈殿池１０に排出されることを安定的に遮断することができる。このような前記開閉水門２３０は開閉プレート２３１、開閉シリンダ２３２を含む。
【００３２】
前記開閉プレート２３１は、前記スラッジ流入溝２１０に対応する個数が前記スラッジ吸入カバー２００の側面にスライド自在に設けられる。この際、それぞれの前記開閉プレート２３１は、前記スラッジ流入溝２１０の方向にスライド自在に前記スラッジ吸入カバー２００に設けられる。
【００３３】
前記開閉シリンダ２３２は、前記スラッジ吸入カバー２００に結合して設けられた状態で、ロード端部が前記開閉プレート２３１に連結して結合される。したがって、前記開閉シリンダ２３２の動作によるロードの長さ変化に応じて、前記開閉プレート２３１が往復スライド移動されるようにしながら前記スラッジ流入溝２１０を開閉させる。
【００３４】
前記捕集ガイド板３００は、前記圧力水噴射部１００の噴射ノズル１４０から噴射される前記圧力水によって移動される前記スラッジが前記スラッジ吸入カバー２００のスラッジ流入溝２１０に流入されるようにガイドする。つまり、前記捕集ガイド板３００は、前記圧力水によって押されて移動される前記スラッジが分散したり、前記スラッジ吸入カバー２００を過ぎて移動しないように捕集する役割を行う。このように、前記捕集ガイド板３００は、前記沈殿池１０の底に沈殿された前記スラッジが前記圧力水の噴射によって前記スラッジ収容部１１に移動しながら前記スラッジ収容部１１を中心にして反対の方向に通り過ぎることなく、前記スラッジ吸入カバー２００のスラッジ流入溝２１０を通じて前記スラッジ収容部１１に直ちに流入されるようにガイドする。
【００３５】
このような前記捕集ガイド板３００は、前記沈殿池１０の底に上方に突出されるように結合して設けられる。ここで、前記捕集ガイド板３００は、前記沈殿池１０の底を複数に分割して区画するように複数個が結合して設けられる。この際、前記捕集ガイド板３００は、それぞれが互いに隣接する前記スラッジ吸入カバー２００のスラッジ流入溝２１０の間に配置されるように設けられる。さらに、前記スラッジ吸入カバー２００の外側面と対向する前記捕集ガイド板３００の端部は前記スラッジ吸入カバー２００の外側面に隣接して配置されるように設けて、前記捕集ガイド板３００によってガイドされた前記スラッジが前記スラッジ吸入カバー２００の端部と前記捕集ガイド３００の外側面との間を通じて漏れることを抑制できるようにする。
【００３６】
このように、前記捕集ガイド板３００は、前記スラッジ流入溝２１０の数に応じて形成される。つまり、前記スラッジ流入溝２１０が前記スラッジ吸入カバー２００の側面に複数形成される場合、前記捕集ガイド板３００は、前記スラッジ流入溝２１０の間に配置されるように、複数個を前記沈殿池１０の底に結合して設けることができる。このように、前記捕集ガイド板３００は、前記スラッジ流入溝２１０の左右両側をそれぞれ遮断させ、それぞれの前記スラッジ流入溝２１０に前記スラッジが流入される際、干渉による流入の妨害が発生しないようにする。
【００３７】
このように構成される一実施例に係る前記沈殿池用流体移送スラッジ排出装置の作動を、図１ないし図３を参照しながら説明すると、次のようである。
【００３８】
先ず、前記沈殿池１０の底にスラッジが積層されると、前記圧力水噴射部１００のポンプ１１０を作動させ、圧力水を前記沈殿池１０の内部から噴射して排出させる。つまり、前記ポンプ１１０によって加圧された前記圧力水が前記圧力水供給ライン１２０から前記圧力水分配ライン１３０に分配された後、前記噴射ノズル１４０を通じて前記沈殿池１０の底に噴射されながら、前記スラッジを前記沈殿池１０のスラッジ収容部１１の方向に押して移動させる。
【００３９】
そうすれば、前記スラッジは前記スラッジ吸入カバー２００のスラッジ流入溝２１０を通じて前記スラッジ吸入カバー２００の内側に流入された後、前記スラッジ収容部１１を通じて外部に排出される。この際、前記沈殿池１０の底から前記圧力水によって押して移動される前記スラッジは、前記捕集ガイド板３００によって前記スラッジ流入溝２１０に捕集状態で流入される。
【００４０】
このように、一実施例の前記沈殿池用流体移送スラッジ排出装置は、前記沈殿池１０のスラッジ収容部１１を前記スラッジ吸入カバー２００が囲むように配備した状態で、前記圧力水噴射部１００から噴射される圧力水によって移動される前記スラッジが前記捕集ガイド板３００によって捕集された状態で、前記スラッジ流入溝２１０を通じて前記スラッジ吸入カバー２００の内側に流入された後、前記スラッジ収容部１１に移動させるところ、前記スラッジの滞積なく、外部への排出を容易にすることができる。
【００４１】
本発明は、図面に示された実施例を参考にしながら説明されているが、これは例示的なものに過ぎず、本技術分野の通常の知識を持った者であれば、これから多様な変形及び均等な他の実施例が可能であるという点を理解できるはずである。よって、本発明の真の技術的な保護範囲は、添付された特許請求の範囲の技術的思想によって定められるべきである。
【図１】
2015531313.tif 000003
【図２】
2015531313.tif 000004
【図３】
2015531313.tif 000005
【国際調査報告】
2015531313.tif 000006
2015531313.tif 000007
2015531313.tif 000008
2015531313.tif 000009